(57)【要約】【課題】雨染みを発生させにくい外部端末装置を提供する。【解決手段】構造物の取付面に取り付けられ、機能部品を有する外部端末装置は、前記外部端末装置の外周を構成する外周面のうちの上面に連なって設けられた外周側面から外方に張り出して設けられ、上端から下端にかけて、前記構造物の取付面から離間する方向に傾斜する傾斜部を備えている。【選択図】図１
2019087701.tif 000002
【特許請求の範囲】
【請求項１】
構造物の取付面に取り付けられ、機能部品を有する外部端末装置であって、
前記外部端末装置の外周を構成する外周面のうちの上面に連なって設けられた外周側面から外方に張り出して設けられ、上端から下端にかけて、前記構造物の取付面から離間する方向に傾斜する傾斜部を備えた外部端末装置。
【請求項２】
請求項１に記載の外部端末装置であって、
前記傾斜部の下端の位置は、前記外周側面において前記構造物の取付面から最も離れた位置よりも前記構造物の取付面側に位置する、外部端末装置。
【請求項３】
請求項１または請求項２に記載の外部端末装置であって、
前記傾斜部の上端の位置は、前記外周側面における前記構造物の取付面側の位置と同じ位置である、外部端末装置。
【請求項４】
請求項１から請求項３のいずれか一項に記載の外部端末装置であって、
前記傾斜部の下端には、鉛直下方に連なる垂下部が形成された外部端末装置。
【請求項５】
請求項１から請求項４のいずれか一項に記載の外部端末装置であって、
前記傾斜部は、上端から下端に掛けて、平面また曲面として形成されている、外部端末装置。
【請求項６】
請求項１から請求項５のいずれか一項に記載の外部端末装置であって、
前記傾斜部は、前記外周側面から外方に掛けて、平面また凹面として形成されている、外部端末装置。
【請求項７】
請求項１から請求項６のいずれか一項に記載の外部端末装置であって、
前記傾斜部は、前記外周側面の鉛直方向中心より下方に設けられている、外部端末装置。
【請求項８】
請求項７に記載の外部端末装置であって、
前記傾斜部は、前記外周側面の下端に設けられている、外部端末装置。
【請求項９】
請求項１から請求項８のいずれか一項に記載の外部端末装置であって、
前記傾斜部は、前記上面に連なる二つの外周側面のそれぞれに設けられている、外部端末装置。
【請求項１０】
構造物の取付面に取り付けられた外部端末装置であって、
請求項１から請求項９のいずれか一項に記載の外部端末装置と、
前記外周面と、前記構造物の取付面との境界に設置されたシーリングと、を有し、
前記シーリングの端部は、前記傾斜部の上端を覆っている、外部端末装置。
【請求項１１】
請求項１０に記載の外部端末装置であって、
前記傾斜部の幅は、前記シーリングの幅以下である、外部端末装置。
【請求項１２】
機能部品を有する外部端末装置を構造物の取付面に取り付けるための取付部材であって、
前記取付部材の外周を構成する外周面と、
前記外周面のうちの上面に連なって設けられた外周側面から外方に張り出して設けられ、上端から下端にかけて、前記構造物の取付面から離間する方向に傾斜する傾斜部と、
を備える取付部材。
【発明の詳細な説明】
【技術分野】
【０００１】
本発明は、外部の壁などの取付面に取り付けられる外部端末装置及び外部端末装置を取付面に取り付けるための取付部材に関する。
【背景技術】
【０００２】
外部の壁などの取付面に設置されるセキュリティ用通信装置（外部端末装置）が知られている（例えば特許文献１）。こうした外部端末装置には、塵埃が付着することがあり、雨が降ると、外部端末装置に雨が当たり、付着していた塵埃が雨水とともに流れる。このとき、塵埃を含んだ雨水は、外部端末装置の側面に沿って流れ壁を伝って落ちるため、外部端末装置の側面の鉛直下方の壁に雨染みができて美観を損ねてしまう、という問題があった。これに対して、壁などに架橋性水系被覆組成物を含む塗料を塗装することで、雨染みを付き難くする方法が知られている（例えば特許文献２）。
【先行技術文献】
【特許文献】
【０００３】
【特許文献１】特開２０１６−１２６３９６号公報
【特許文献２】特開２００８−１０６１６３号公報
【発明の概要】
【発明が解決しようとする課題】
【０００４】
しかしながら、特許文献２に記載の方法では、壁に特別な塗装をするなどの処理が必要である。壁によっては、特別な塗装ができないこともあり、外部端末装置を取り付けても壁に雨染みが生じにくい構造が求められていた。
【課題を解決するための手段】
【０００５】
本発明は、上述の課題の一部を解決するためになされたものであり、以下の形態として実現することが可能である。
【０００６】
（１）本発明の一形態によれば、構造物の取付面に取り付けられ、機能部品を有する外部端末装置が提供される。この外部端末装置は、前記外部端末装置の外周を構成する外周面のうちの上面に連なって設けられた外周側面から外方に張り出して設けられ、上端から下端にかけて、前記構造物の取付面から離間する方向に傾斜する傾斜部を備えている。外部端末装置には、塵埃が付着し、雨が降ると、雨水は塵埃を含んだ状態で流れ落ちる。この形態によれば、塵埃を含んだ水は、傾斜部に沿って流れ落ち、構造物の取付面から離間した位置で傾斜部から滴下するので、塵埃を含んだ水が構造物の取付面に接しにくく、構造物の取付面において雨染みが生じることを抑制し易い。
【０００７】
（２）上記形態において、前記傾斜部の下端の位置は、前記外周側面において前記構造物の取付面から最も離れた位置よりも前記構造物の取付面側に位置してもよい。傾斜部を流れる水は、表面張力により傾斜部や外周側面に接触しやすい。この形態によれば、傾斜部の下端の位置は、外周側面において構造物の取付面から最も離れた位置よりも構造物の取付面側に位置しているので、傾斜部の下端まで確実に傾斜部と外周側面とがＶ字形状を形成する。その結果、水を誘導し易く、傾斜部の途中で、外周側面と反対側から水が落下して構造物の取付面に雨染みが生じることを抑制し易い。
【０００８】
（３）上記形態において、前記傾斜部の上端の位置は、前記外周側面における前記構造物の取付面側の位置と同じ位置であってもよい。この形態によれば、外周側面を構造物の取付面と接するように外部端末装置を構造物の取付面に設置したときに、傾斜部の上端と構造物の取付面とが接触し、傾斜部の上端と構造物の取付面との隙間に雨水が通ることを抑制できる。
【０００９】
（４）上記形態において、前記傾斜部の下端には、鉛直下方に連なる垂下部が形成されていてもよい。この形態によれば、垂下部によって水を鉛直方向に容易に滴下させることができ、雨染みが生じることを抑制し易い。
【００１０】
（５）上記形態において、前記傾斜部は、上端から下端に掛けて、平面また曲面として形成されていてもよい。この形態によっても、水を滑らかに移動させ、傾斜部から滴下させやすい。
【００１１】
（６）上記形態において、前記傾斜部は、前記外周側面から外方に掛けて、平面また凹面として形成されていてもよい。この形態によれば、傾斜部の途中で、外周側面と反対側から水が落下して構造物の取付面に雨染みが生じることを抑制し易い。
【００１２】
（７）上記形態において、前記傾斜部は、前記外周側面の鉛直方向中心より下方に設けられていてもよい。傾斜部より鉛直下方の外周側面に付着した塵埃を含む雨水は、雨水とともに構造物の取付面を伝わるので、雨染みを生じさせる可能性があるが、傾斜部より鉛直上方の外周側面に付着した塵埃を含む雨水は、傾斜部により構造物の取付面から離間し、構造物の取付面を伝わらずに滴下するので、構造物の取付面に雨染みを形成し難い。この形態によれば、傾斜部よりも鉛直下方の外周側面の面積を傾斜部よりも鉛直上方の外周側面の面積よりも小さくしている。傾斜部を外周側面の鉛直方向中心より下方に設けると、傾斜部を外周側面の鉛直方向中心より上方に設ける場合に比べて、雨水とともに構造物の取付面を伝わる塵埃の量を少なくできる。その結果、構造物の取付面の雨染みを生じ難くでき、仮に雨染みができたとしても、雨染みは目立ち難い。
【００１３】
（８）上記形態において、前記傾斜部は、前記外周側面の下端に設けられていてもよい。この形態によれば、傾斜部よりも鉛直下方の外周側面の面積をより小さくでき、傾斜部よりも鉛直下方の外周側面に付着し、雨水とともに構造物の取付面を伝う塵埃を少なくできるので、構造物の取付面の雨染みをより目立ち難くできるまた、外周側面の下端の強度を向上できる。
【００１４】
（９）上記形態において、前記傾斜部は、前記上面に連なる二つの外周側面のそれぞれに設けられていてもよい。この形態によれば、外部端末装置の両側において、雨染みが生じることを抑制し易い。
【００１５】
（１０）本発明の一形態によれば、構造物の取付面に取り付けられた外部端末装置が提供される。この外部端末装置は、上記形態のいずれか１つに記載された外部端末装置と、前記外周面と、前記構造物の取付面との境界に設置されたシーリングと、を有し、前記シーリングの端部は、前記傾斜部の上端を覆っている。この形態によれば、シーリングにより防水性を高めることができる。また、シーリングの端部は、傾斜部の上端を覆っているので、傾斜部の上端を、構造物の取付面に接触させなくても、傾斜部の上端と構造物の取付面の間から水が漏れることが無い。
【００１６】
（１１）上記形態において、前記傾斜部の幅は、前記シーリングの幅以下であってもよい。この形態によれば、前記構造物の取付面の法線方向から外部端末装置を見た時に、シーリングによって、傾斜部を目立ち難くできる。
【００１７】
なお、本発明は、種々の形態で実現することが可能であり、例えば、外部端末装置の他、入退出管理用外部端末装置、認証装置、インターホン、外部端末装置の取付部材、雨染み抑制構造等の形態で実現することができる。
【図面の簡単な説明】
【００１８】
【図１】取付面に取り付けられた外部端末装置を示す説明図である。
【図２】外部端末装置の分解斜視図である。
【図３】外部端末装置の立設部の断面を示す説明図である。
【図４】傾斜部を拡大して示す説明図である。
【図５】傾斜部を、立設部の法線方向から見た図である。
【図６】傾斜部と立設部を、傾斜部の法線と立設部の法線の両方と垂直な方向から見た図である。
【図７】取付面に取付部材を取り付けて、シーリングを施した状態を示す説明図である。
【図８】傾斜部の斜面を曲面とした実施形態を示す説明図である。
【発明を実施するための形態】
【００１９】
・実施形態：
図１は、構造物の取付面５０に取り付けられた外部端末装置１００を示す説明図である。本実施形態では、外部端末装置１００は、認証用のセキュリティ端末装置であり、本体２０と、本体２０を取付面５０に取り付けるための取付部材１０と、を備える。取付面５０は、外部端末装置１００が取り付け可能な面であり、例えば、屋外の壁や柱の側面である。本体２０には、機能部品としてカードリーダなどの認証装置２２（図２に図示）が設けられている。取付部材１０の外周を構成する外周面には、取付面５０に対してほぼ垂直に立設する形状を有する外周側面１１が設けられている。外周面の内側に、本体２０が収納されて固定されている。２つの外周側面１１の外方には、傾斜部１２が張り出して設けられている。外周側面１１や傾斜部１２は、例えば樹脂で形成されている。傾斜部１２については後述する。一方の傾斜部１２の上端から、外周面に沿って他方の傾斜部１２の上端まで、シーリング４０（「コーキング４０」とも呼ぶ。）が設置されている。シーリング４０は、取付部材１０と取付面５０との隙間に水が浸入しないように、シールする。
【００２０】
図２は、外部端末装置１００の分解斜視図である。外部端末装置１００は、さらに、防水パッキン３０を備える。防水パッキン３０は、３つの外周側面１１の内面に沿って配置された細長い形状の部材である。防水パッキン３０は、ゴムや樹脂で形成されており、外周側面１１と本体２０との隙間から浸入した水が本体２０の内部に浸入しないようにシールする。
【００２１】
図３は、外部端末装置１００の外周側面１１の断面を示す説明図である。取付面５０には、汎用部品である埋込取付枠６０が取り付けられており、取付部材１０は、埋込取付枠６０に、取り付けられている。埋込取付枠６０を使うことで、取付部材１０の設計において、取付面５０との取付ではなく、埋込取付枠６０との取付を考慮すればよいので、設計自由度を向上できる。なお、埋込取付枠６０を用いずに、取付部材１０を直接取付面５０に取り付ける構成であってもよい。また、埋込取付枠６０と取付部材１０とが一体となって、１つの部材を構成していてもよい。
【００２２】
外周側面１１は、取付面５０に対してほぼ垂直な面を有している。外周側面１１の内側（図３では、左側）の取付面５０に近い位置には、上述した防水パッキン３０が配置されている。本実施形態では、防水パッキン３０は、取付面５０と反対側に、防水パッキン３０の細長い形状の長手方向沿って伸びる溝を有する。この溝に、本体２０の側面２１が嵌まり込むことによって、本体２０の内部に水が浸入しないように防水する。なお、本体２０の側面が防水パッキン３０に押圧されれば、本体２０の内部に水が浸入しないように防水できる。したがって、溝は、省略可能である。但し、防水パッキン３０が溝を備えると、本体２０の側面２１と防水パッキン３０との接触面積を大きくできるので、防水の効果をより高めることができる。
【００２３】
図４は、傾斜部１２を拡大して示す説明図である。傾斜部１２は、外周側面１１に対してほぼ垂直に設けられており、上端から下端にかけて、取付面５０から離間する方向に傾斜する平坦な平面の斜面を有する。傾斜部１２の上端は、取付面５０に、ほぼ接している。なお、後述するように、傾斜部１２の上端から、シーリング４０が設置されるので、傾斜部１２の上端と、取付面５０の境界は、シーリング４０により埋められる。したがって、傾斜部１２の上端と、取付面５０とは、完全に接触した状態でなくても良い。すなわち、傾斜部１２の上端と、取付面５０との間に若干の隙間があってもよい。
【００２４】
図５は、傾斜部１２を、外周側面１１の法線方向から見た図である。図５からわかるように、傾斜部１２は、上端から下端にかけて、取付面５０から離間する方向に傾斜する斜面を有する。傾斜部１２の角度θ（取付面５０の鉛直上方からの角度で表す）は、大きいと、水を流しやすいが、大きすぎると、傾斜部１２の鉛直方向の大きさが大きくなりすぎて傾斜部１２が目立ってしまう。一方、傾斜部１２の角度θが小さいと、傾斜部１２に水が滞留し、滞留した水が傾斜部１２の外側、つまり外周側面１１と反対側から落下するおそれがある。角度θは、１３５度から１７５度の範囲内で設定することが好ましく、１５０度が最も好ましい。この範囲であれば、傾斜部１２が大きくなりすぎず、傾斜部１２を流れる水が、傾斜部１２に滞留し難くできるとともに、傾斜部１２から落ちた水が取付面５０に接触し難くできる。
【００２５】
本実施形態では、傾斜部１２の下端の位置は、外周側面１１の取付面５０から最も離れた位置よりも構造物の取付面５０側に位置している。すなわち、傾斜部１２の取付面５０からの長さＨ１は、外周側面１１の取付面５０からの長さＨ２よりも小さく構成されている。言い換えれば、傾斜部１２は、外周側面１１の前縁よりも取付面５０よりに奥まって配置されていると言える。このよう構成にすれば、傾斜部１２の下端から傾斜部１２の法線１４方向には、外周側面１１が存在し、外周側面１１と傾斜部１２とでＶ字溝を形成できる。傾斜部１２を流れる水は、表面張力により外周側面１１に引き寄せられる。したがって、Ｖ字溝により、水を外周側面１１に沿って誘導し易く、傾斜部１２の途中で、外周側面１１と反対側から水が落下することを抑制し易くできる。例えば、傾斜部１２の取付面５０からの長さＨ１の上限は、外周側面１１の取付面５０からの長さＨ２の３／４以下とすることが好ましく、２／３以下とすることがより好ましい。傾斜部１２の取付面５０からの長さＨ１を外周側面１１の取付面５０からの長さＨ２の１／２にしてもよい。一方、傾斜部１２の取付面５０からの長さＨ１の下限については、外周側面１１の取付面５０からの長さＨ２の１／４以上とすることが好ましく、１／３以上とすることがより好ましい。傾斜部１２の取付面５０からの長さＨ１が小さすぎると、塵埃を含んだ水が傾斜部１２の下端から滴下するときに、取付面５０に接触する可能性がある。しかし、取付面５０からの長さＨ１が取付面５０からの長さＨ２の１／４以上あれば、塵埃を含んだ水が傾斜部１２の下端から滴下するときに、滴下位置は、取付面５０から十分に離れており、落下中に水が取付面５０に接触する可能性を低減できる。例えば、傾斜部１２の取付面５０からの長さＨ１の大きさの絶対値としては、１．５ｍｍ以上あることが好ましい。
【００２６】
上記説明では、傾斜部１２の取付面５０からの長さＨ１は、外周側面１１の取付面５０からの長さＨ２よりも小さく構成すると説明したが、傾斜部１２の取付面５０からの長さＨ１は、外周側面１１の取付面５０からの長さＨ２よりも小さく構成しなくてもよい。例えば、傾斜部１２の取付面５０からの長さＨ１は、取付面５０からの長さＨ２と同じ長さであってもよい。傾斜部１２の取付面５０からの長さＨ１は、取付面５０からの長さＨ２と同じ長さであっても水を取付面５０から離間させて滴下させることができるので、取付面５０に雨染みを生じさせ難くできる。この場合、傾斜部１２が外周側面１１から手前側に突出しないことが好ましい。傾斜部１２が外周側面１１から手前側に突出しなければ、傾斜部１２の破損を抑制し易い。従って、傾斜部１２の取付面５０からの長さＨ１は、外周側面１１の取付面５０からの長さＨ２以下であることが好ましい。
【００２７】
本実施形態では、傾斜部１２の上端は、外周側面１１の取付面５０側の位置と同じ位置である。こうすれば、取付面５０に外部端末装置１００を設置したときに、傾斜部１２の上端と取付面５０とが接触し、水がこの間を通り難くできる。なお、傾斜部１２の上端と取付面５０との間には、シーリング４０で埋めることができる程度の隙間があってもよい。シーリング４０で埋めることができれば、水がこの間を通り難くできる。
【００２８】
本実施形態では、傾斜部１２の下端に、水が流れる面の接線の向きが鉛直方向である垂下部１３を備えている。垂下部１３を備えることで、水を傾斜部１２から鉛直方向に容易に滴下させることができる。また、垂下部１３を備えることで、垂下部１３の下端の強度を大きく出来る。ただし、垂下部１３はなくても良い。また、傾斜部１２の取付面５０側に、傾斜部１２を補強する補強部１５を設けても良い。図５では、補強部１５の一例を破線で示している。図５では、補強部１５を、傾斜部１２とほぼ垂直に設けているが、取付面５０と垂直あるいは平行にしてもよい。また、傾斜部１２の取付面５０側を埋めて補強しても良い。
【００２９】
図６は、傾斜部１２と外周側面１１を、傾斜部１２の法線と外周側面１１の法線の両方と垂直な方向から見た図である。このときの傾斜部１２と外周側面１１との為す角の角度をφとする。図４の説明では、傾斜部１２は、外周側面１１に対してほぼ垂直に設けられている、すなわち角度φは９０度であると説明したが、角度φを９０度未満としてもよい。この場合、水は表面張力により外周側面１１にさらに引き寄せられやすくなるので、傾斜部１２の外周側面１１との反対側から水を落下させ難くできる。また、角度φを９０度より大きくしてもよい。この場合、傾斜部１２と外周側面１１との境界に塵埃などの汚れが付着し難い。傾斜部１２は、外周側面１１から外方に掛けて、平面として形成されているが、凹面として形成されていてもよい。また、傾斜部１２と外周側面１１との境界の角を埋めて傾斜部１２から外周側面１１に向かって連続的な曲面としてもよい。傾斜部１２と外周側面１１との境界に塵埃の汚れが付着し難くできる。
【００３０】
図７は、取付面５０に取付部材１０を取り付けて、シーリング４０を施した状態を示す説明図である。シーリング４０は、例えば、シリコーン系、変性シリコーン系、ポリウレタン系などの樹脂のコーキング材で形成されている。シーリング４０の端部は、傾斜部１２の上端と接している。この場合、傾斜部１２の外周側面１１上での位置について、傾斜部１２の上端が取付面５０に近づく位置に配置されていることが好ましい。傾斜部１２の上端と取付面５０の間隔が狭いと、この隙間をシーリング４０で埋め易い。このようなシーリング４０は、以下のように設置される。シーリング４０は、図７の矢印で示す様に、一方の傾斜部１２の上端から傾斜部１２の上端を覆うように設置し始められ、取付部材１０の一方の側面、上面、他方の側面を通り、他方の傾斜部１２の上端で傾斜部１２の上端を覆って設置し終えられる。このようにシーリング４０を一筆書きのように設置すれば、シーリング４０の設置が容易である。また、傾斜部１２の上端をシーリング４０で覆うことで、傾斜部１２の上端と、取付面５０との境界の隙間をシーリング４０で埋めることができる。なお、シーリング４０がなくても、雨染みを抑制する効果に変わりが無い。
【００３１】
傾斜部１２の幅Ｗ３は、雨水の水滴の大きさを考慮すれば、１．５ｍｍ以上が好ましい。一方、傾斜部１２の幅Ｗ３は、４ｍｍ以下が好ましい。傾斜部１２の幅Ｗ３を４ｍｍ以下とすれば外部端末装置１００を取付面５０に取り付けた後に設置されるシーリング４０の幅以下とすることができる。この場合、取付面５０の法線方向から外部端末装置１００を見た時に、傾斜部１２とシーリング４０とが重なって見えるので、傾斜部１２を目立ち難くできる。なお、傾斜部１２の幅Ｗ３は、４ｍｍ以上であってもよい。傾斜部１２の幅Ｗ３が大きいほど、傾斜部１２の外周側面１１との反対側から水を落下させ難くできる。なお、傾斜部１２の幅Ｗ３は、シーリング４０の幅よりも大きくても良い。シーリング４０と重なる部分については、目立ち難くできる。また、傾斜部１２の色は、シーリング４０の色とほぼ同じ色であることが好ましい。傾斜部１２をより目立ち難くできる。
【００３２】
・他の実施形態：
図８は、傾斜部１２の斜面を曲面とした実施形態を示す説明図である。上述した本実施形態では、傾斜部１２は、平坦な斜面であったが、曲面を有する斜面としてもよい。傾斜部１２の斜面を曲面とすると、傾斜部１２の角が取れるので、水を滑らかに移動させ、滴下させ易くできる。
【００３３】
上記実施形態では、傾斜部１２の鉛直方向の位置については、説明していなかったが、外周側面１１の鉛直方向中心より下部に設けられていることが好ましい。傾斜部１２よりも鉛直下方の外周側面１１の面積が小さく、ここに付着する塵埃が少ないので、取付面５０に雨染みが生じ難いからである。したがって、傾斜部１２は、外周側面１１の下端に設けられていることがより好ましい。傾斜部１２よりも鉛直下方の外周側面１１の面積をもっとも小さくできる。
【００３４】
傾斜部１２の水が流れる面について、外周側面１１とほぼ平行な溝や凸部を備えていてもよい。傾斜部１２が、このような溝や凸部を備えることで、傾斜部１２上の水を、溝や凸部に沿って下方に移動させ、滴下させることができる。
【００３５】
傾斜部１２は、外周側面１１との接続部に、薄肉部を備えていても良い。外部端末装置１００が室内に用いられる場合には、雨水がかからないため、雨染みを考慮する必要がない。したがって、室内に用いられる場合には、傾斜部１２を備えなくてもよい。傾斜部１２は、外周側面１１との接続部に、薄肉部を備えていていれば、外部端末装置１００を室内で用いるときに、傾斜部１２を容易に折ることができる。
【００３６】
本実施形態では、外部端末装置１００は、傾斜部１２を備えているが、逆に、傾斜部１２を別体として、外部端末装置１００を屋外に設置するときに、傾斜部１２を取り付けるようにしても良い。例えば、傾斜部１２の外周側面１１との接触部分に突起を設け、外周側面１１には、該突起と嵌合する孔を設けても良い。この他、傾斜部１２の外周側面１１とは、例えば接着剤で接着しても良い。
【００３７】
上記実施形態では、傾斜部１２の外周側面１１の素材は、単にジュしとしたが、外周側面１１は、親水性の材料で形成することも好ましい。外周側面１１に水が接触したときの接触角を小さくし、水を引き寄せることができるので、傾斜部１２の外周側面１１と反対側から水を落下させにくくできる。また、傾斜部１２は、撥水性の材料で形成することも好ましい。傾斜部１２を流れる水を切りやすい。なお、外周側面１１を撥水性の材料で形成し、傾斜部１２を親水性の材料で形成してもよい。傾斜部１２に水を流しやすくできる。
【００３８】
上記実施形態では、傾斜部１２は、二つの外周側面１１のそれぞれに設けられていているが、一方の外周側面１１にのみ傾斜部１２を備える構成であってもよい。傾斜部１２を備える側において、雨染みを抑制できる。例えば、外周面の上面が傾斜していれば、雨水が流れ落ちる側の外周側面１１のみに傾斜部１２を設けてれば良い。
【００３９】
上記実施形態では、外部端末装置１００は、本体２０と取付部材１０とを別の部材として備えるとして説明したが、本体２０と取付部材１０とが一体の外部端末装置１００であってもよい。この場合、傾斜部１２は、外部端末装置１００の外周を構成する外周面のうちの上面に連なって設けられた外周側面から外方に張り出して設けられ、上端から下端にかけて、構造物の取付面５０から離間する方向に傾斜している。本体２０と取付部材１０とが一体であろうと、一体でなかろうと、傾斜部１２により、雨染みをでき難くする点は共通する。なお、本体２０と取付部材１０とを別体で分離可能にすれば、本体２０の修理や調整を行うときに、取付部材１０を構造物の取付面５０に残して、本体２０のみを取り外すことができる。
【００４０】
上記説明では、機能部品として認証装置２２を備える認証用のセキュリティ端末装置であるとして説明したが、外部端末装置１００は、機能部品として、呼び出しボタンと、モニタと、スピーカと、カメラと、を備えるインターホンであってもよい。
【００４１】
図２に示す例では、取付面５０に穴が開いており、該穴に本体２０の一部が挿入されるようになっているが、取付面５０に穴を設けずに、取付面５０の上に本体２０及び取付部材１０が配置される構成であってもよい。
【００４２】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４３】
１０…取付部材
１１…外周側面
１２…傾斜部
１３…垂下部
１４…（傾斜部）の法線
１５…補強部
２０…本体
２１…（本体の）側面
２２…認証装置
３０…防水パッキン
４０…シーリング
５０…側面
６０…埋込取付枠
１００…外部端末装置
【図１】
2019087701.tif 000003
【図２】
2019087701.tif 000004
【図３】
2019087701.tif 000005
【図４】
2019087701.tif 000006
【図５】
2019087701.tif 000007
【図６】
2019087701.tif 000008
【図７】
2019087701.tif 000009
【図８】
2019087701.tif 000010